(57)【要約】      （修正有）【課題】使用者が容易に老眼鏡を選択できると共に、使用時に不便がなく、衛生面に配慮されたサービス老眼鏡の提供用具を提供する。【解決手段】少なくとも３種類の老眼鏡Ｒ１、Ｒ２、Ｒ３を取出し自在に立設した状態で収納することができる一連に隣接した老眼鏡スタンド１ａ、１ｂ、１ｃと、これら老眼鏡におけるテンプルの可視部には、装着されたレンズの度数を色彩に彩られたデザイン文字で表記すると共に、前記老眼鏡スタンドの各正面には、テンプルに表示されたデザイン文字と同じ度数を大なる文字で表示したことを特徴とする。【選択図】図１
0003202770.tif 000002
【実用新案登録請求の範囲】
【請求項１】
装着レンズが弱度、中度、および強度の少なくとも３種類の老眼鏡（R1）・（R2）・（R3）を取出し自在に立設した状態で収納することができる一連に隣接した老眼鏡スタンド（1a・1b・1c）と、これら老眼鏡（R1）〜（R3）におけるテンプルの可視部には、それぞれの老眼鏡（R1）〜（R3）に装着されたレンズの度数を色彩に彩られたデザイン文字で表記すると共に、前記老眼鏡スタンド（1a・1b・1c）の各正面には、テンプルに表示されたデザイン文字と同じ度数を大なる文字で表示することによって、高齢者が選ぼうとする老眼鏡の度数を確認可能にしたことを特徴とするサービス老眼鏡の提供用具。
【請求項２】
老眼鏡スタンド（1a・1b・1c・1d）を準備し、これらに老眼鏡（R1）・（R2）・（R3）・（R4）の４種類を取出し自在に立設した状態で収納可能にしたことを特徴とする請求項１に記載のサービス老眼鏡の提供器具。
【請求項３】
４種類の老眼鏡（R1）・（R2）・（R3）・（R4）が光触媒コーティングされていることを特徴とする請求項１または請求項２に記載のサービス老眼鏡の提供用具。
【考案の詳細な説明】
【技術分野】
【０００１】
本考案は、高齢者が手ぶらで来所して、書類の記入手続を行う窓口に設置されるサービス老眼鏡の提供用具に関するものである。
【背景技術】
【０００２】
銀行や病院、役所等の窓口では書類の記入手続を行うことが多く、書類の内容確認、記入を行うにあたって高齢者は老眼鏡が必須である。
【０００３】
そこで、老眼鏡を携帯することで対応している高齢者もいるが、荷物が増え、外出の邪魔になるため老眼鏡を携帯する高齢者は少ない。
【０００４】
ゆえに従来から、智部に持手を形成し、度数の異なるレンズを装着した複数の老眼鏡をスタンドに立設して窓口に設置する貸与老眼鏡に関する技術が知られている（特許文献１参照）。
【０００５】
しかし、かかる貸与老眼鏡は、持手にのみレンズ度数が表示されているため、使用者が老眼鏡を選択し難いといった問題があった。また、この貸与老眼鏡は、持手を握って使用する構造のため、使用時に片手が塞がってしまい書類記入を行い難いといった問題があった。
【先行技術文献】
【特許文献】
【０００６】
【特許文献１】実開昭５８−１３１３７号公報
【考案の開示】
【考案が解決しようとする課題】
【０００７】
本考案は、従来の貸与老眼鏡に上記のような問題があったことに鑑みて為されたものであり、その目的とするところは、使用者が容易に老眼鏡を選択できると共に、更に要すれば、使用時に不便がなく、衛生面を配慮したサービス老眼鏡の提供用具を提供することにある。
【課題を解決するための手段】
【０００８】
本考案者が上記課題を解決するために採用した手段を添付図面を参照して説明すれば次のとおりである。
【０００９】
即ち、装着レンズが弱度、中度、および強度の少なくとも３種類の老眼鏡R1・R2・R3を取出し自在に立設した状態で収納することができる一連に隣接した老眼鏡スタンド（1a・1b・1c）と、これら老眼鏡R1〜R3におけるテンプルの可視部には、それぞれの老眼鏡R1〜R3に装着されたレンズの度数を色彩に彩られたデザイン文字で表記すると共に、前記老眼鏡スタンド1a・1b・1cの各正面には、テンプルに表示されたデザイン文字と同じ度数を大なる文字で表示することによって、高齢者が選択する老眼鏡の度数を確認可能にしたことを特徴とする。
【００１０】
また、本考案は、老眼鏡スタンド（1a・1b・1c・1d）を準備し、これらに老眼鏡R1・R2・R3・R4の４種類を取出し自在に立設した状態で収納可能にするという技術的手段を採用した。
【００１１】
また、本考案は、４種類の老眼鏡R1・R2・R3・R4を光触媒コーティングせしめるという技術的手段を採用した。
【考案の効果】
【００１２】
本考案において、老眼鏡R1・R2・R3におけるテンプルの可視部には、明確な色彩に彩られたデザイン文字でレンズ度数の表示を行うと共に、老眼鏡スタンド1a・1b・1cの各正面にテンプルに表示されたデザイン文字と同様のレンズ度数をで表記することにより、老眼鏡を直感的に選択することが可能となる。
【００１３】
更には、老眼鏡R1〜R3のテンプル可視部に表示された明確な色彩に彩られたデザイン文字と、老眼鏡スタンド1a・1b・1c正面に表記された度数との相乗効果により、各老眼鏡の度数が使用者である高齢者の記憶に留まり、使用後の老眼鏡を適切な位置に返却でき、展示環境を美しくすることが可能となる。
【００１４】
また、老眼鏡R1・R2・R3のテンプル可視部に表示された明確な色彩に彩られたデザイン文字により、サービス老眼鏡であることが認識でき、故意または過失による老眼鏡の紛失を防止することが可能となる。
【００１５】
本考案においては、老眼鏡R4を追加することにより、装着レンズの選択肢が増え、使用者に適した老眼鏡を選択可能になる。また、老眼鏡スタンド1dを増設することで、前記老眼鏡R4を含めた老眼鏡R1〜R4を美しく展示することができる。
【００１６】
本考案においては、老眼鏡R1・R2・R3・R4に光触媒コーティングを施すことにより、抗菌、防臭、防汚効果を得ることができる。
【００１７】
上記光触媒コーティングによって、老眼鏡R1・R2・R3・R4を掛けて使用することができ、両手を使用して書類の記入を行うことが可能となる。
【図面の簡単な説明】
【００１８】
【図１】本実施例１のサービス老眼鏡の提供用具を表した斜視図である。
【図２】本実施例１の老眼鏡のテンプルを表した拡大斜視図である。
【図３】本実施例２のサービス老眼鏡の提供用具を表した正面図である。
【図４】本実施例２の老眼鏡のテンプルを表した拡大斜視図である。
【考案を実施するための形態】
【００１９】
本考案を実施するための形態を、具体的に図示した図面に基づいて、更に詳細に説明すると、次のとおりである。
【００２０】
『実施例１』
本考案の実施例を図１に基づいて説明する。図中、符号R1・R2・R3で指示するものは３種類の老眼鏡であって、レンズを装着したフロントフレームと、フロントフレームに回動可能に取付けられたテンプルとからなり、各老眼鏡R1・R2・R3には、それぞれ＋１．５（R1）、＋２．５（R2）、＋３．５（R3）の度数のレンズを装着してある。更に、テンプル外側の可視部には、老眼鏡R1・R2・R3に装着されたレンズの度数を色彩に彩られたデザイン文字で表示した（図２参照）。なお、各テンプルの色彩として、老眼鏡R1には濃紺色、老眼鏡R2には緑色、老眼鏡R3には茶色を使用した。
【００２１】
ちなみに、老眼鏡R1・R2・R3はポリカーボネイト樹脂製であり、光触媒コーティングを施してある。
【００２２】
また、符号1a・1b・1cで指示するものは、老眼鏡スタンドであり、台座に３本の円筒形スタンドを隣接して構成し、当該円筒形スタンドの正面には、老眼鏡R1・R2・R3に装着したレンズの度数を大なる文字で表記した。なお、本実施例において老眼鏡スタンド（1a・1b・1c）はアクリル樹脂を使用してある。
【００２３】
しかして、本実施例におけるサービス老眼鏡の提供用具は、３種類の老眼鏡を老眼鏡スタンドに立設した状態で使用され、テンプルの色彩に彩られたデザイン文字によるレンズ度数の表示と、円筒形スタンドの正面に表記されるレンズ度数とによって、使用者は容易に老眼鏡を選択することが可能となる。更には、老眼鏡に施した光触媒コーティングにより、臭いや汚れを生じることがなく、長期間に亘って衛生的な状態を維持することができる。
【００２４】
『実施例２』
図３、図４には実施例２のサービス老眼鏡の提供用具が図示される。
【００２５】
本実施例において、老眼鏡スタンド（1a・1b・1c）として、更に加えて老眼鏡スタンド1dを設けると共に、老眼鏡R1・R2・R3に老眼鏡R4を追加して構成される。なお、老眼鏡スタンド1d、老眼鏡R4共に実施例１と同様の形状・材料からなり、老眼鏡R4には＋４．５０のレンズを装着し、テンプルの色彩は赤色を使用した。
【００２６】
本実施例は、老眼鏡スタンド、および老眼鏡を増やしたサービス老眼鏡の提供用具であって、老眼鏡R4を追加することにより、使用する高齢者にとって最適な度数の老眼鏡を選択可能になる。更に、老眼鏡スタンド1dを増設したことにより、実施例１の如く展示環境を美しくすることができる。
【００２７】
『変形例』
本明細書と添付図に例示する本考案の実施例は、概ね上記のとおりであるが、本考案は、前述の実施例に限定されるものでは決してなく、「実用新案登録請求の範囲」の記載内において種々の変更が可能であることは言うまでもなく、例えば、次に挙げる変形例は本考案の技術的範囲に属する。
【００２８】
本実施例では、老眼鏡R1・R2・R3・R4はポリカーボネイト樹脂製であるとしたが、テンプルに色彩に彩られたデザイン文字を表示でき、かつ、光触媒コーティングが可能であれば何れの材料を使用することも自由であり、当該技術的範囲に属する。
【００２９】
また、本実施例では、老眼鏡R1・R2・R3・R4各テンプルの色彩を濃紺色、緑色、茶色、赤色にするとしたが、各老眼鏡の度数判別を明確に認識さえすれば何れの色を使用してもよい。
【００３０】
また、本実施例では、老眼鏡スタンド（1a・1b・1c・1d）は円筒形スタンドであるとしたが、老眼鏡R1・R2・R3・R4を立設可能であれば何れの形状でもよい。
【符号の説明】
【００３１】
R1  弱度の老眼鏡
R2  中度の老眼鏡
R3  強度の老眼鏡
R4  更に強度の老眼鏡
1a・1b・1c・1d  老眼鏡スタンド
【図１】
0003202770.tif 000003
【図２】
0003202770.tif 000004
【図３】
0003202770.tif 000005
【図４】
0003202770.tif 000006